(57)【特許請求の範囲】
【請求項１】
ケーシングの背面に吸込部を有し，当該吸込部から吸い込んだ空気を吹き出すために前記ケーシングの上面に吹出部を有する室外機を多段に複数配置する際のシステムであって，
下段に配置される室外機は正面同士が対向して整列され，
前記下段における室外機の上方には，上段に配置される室外機を設置するための床板が配置され，
前記床板は，多数の通気孔を有するグレーチングであり、
前記上段に配置される室外機の正面は通気孔から上昇する気流側に向けて配置され，
前記下段における室外機の吹出部の背面側と前記グレーチングとの間には，前記下段の室外機の吹出部からの排気を，前記通気孔へと案内するガイド板が配置され、
前記上段の室外機は，前記通気孔から上昇する気流を挟んで正面が対向するように配置されていることを特徴とする，室外機の配置システム。
【請求項２】
前記ガイド板の一部は下段の室外機のケーシングで兼用されていることを特徴とする，請求項１に記載の室外機の配置システム。
【請求項３】
前記下段の対向する室外機間には，該対向する室外機の上面縁部間に仕切板が配置されていることを特徴とする，請求項１又は２に記載の室外機の配置システム。
【請求項４】
前記上段の室外機は，吹出部から吹き出される空気を，前記通気孔から上昇する気流側に向けるための他のガイド板を有することを特徴とする，請求項１，２又は３に記載の室外機の配置システム。
【請求項５】
前記他のガイド板の一部は上段の室外機のケーシングで兼用されていることを特徴とする，請求項４に記載の室外機の配置システム。
【請求項６】
前記ガイド板は，吸音機能を有することを特徴とする，請求項１，２，３，４又は５のいずれかに記載の室外機の配置システム。
【発明の詳細な説明】
【０００１】
【発明の属する技術分野】
本発明は，室外機，特に空冷式直膨冷却装置の室外機の放熱を行うのに適した，室外機の配置システムに関するものである。
【０００２】
【従来の技術】
図１１に示されるように，一般にビル空調用空冷直膨冷却装置の室外機１０１は，ビル屋上ＲＦ等にコンクリートの基礎１０２を介して平面的に配置され，室内空気を冷却した際に吸収した熱を，空冷の室外機１０１内の熱交換器を介して室外機１０１の上面の吹出部から大気に放出している。また室外機１０１の放熱能力は，側面の吸込部から室外機１０１内の熱交換器部への吸い込み空気温度や風量によって変化する。
【０００３】
室外機１０１の規定放熱能力を確保しようとする場合には，特に室外機１０１の排気が吸い込み側に回りこむことによる，吸い込み温度上昇を防止するような配慮が必要となる。したがって，空冷の室外機１０１を集合配置する場合は，空冷室外機１０１への新鮮な吸い込み空気量を確保できるような，室外機１０１の配置間隔や基礎１０２や架台の高さを規定している。また，外気温そのものが高くなると，排気の吸い込み側への回り込みが無い場合でも空冷室外機１０１の規定放熱能力の確保が困難になるとともに，ＣＯＰも低下する。
【０００４】
【発明が解決しようとする課題】
前述したように，従来では室外機１０１をビルの屋上ＲＦなどに平面的に配置しているため，ビル屋上ＲＦに設置可能な室外機１０１の台数には限界がある。また，情報・通信施設を収納したビル内部での発熱量は著しく増加しており，それに伴い空調機の設置台数も増加しなければならない。その結果，ビルの屋上全体に空冷室外機１０１を配置しなければならず，さらには全ての室外機１０１を屋上ＲＦに設置しきれない場合もある。
【０００５】
これを避けるため，空冷室外機１０１の配置間隔を規定値以下にして，空冷室外機１０１を近接配置した場合には，空冷室外機１０１の排気が，吸い込み側に回り込むおそれがある。その結果，空冷室外機１０１の吸い込み温度が上昇し，熱交換器での放熱能力が低下し，規定の冷房能力が得られない場合がある。
さらに，夏季の外気温が高くなる時期には，排気が吸い込み側に回り込まないように空冷室外機１０１の配置を行っても，熱交換器での放熱能力が低下し，規定の冷房能力が得られない場合もある。そのため，通常は冷却能力に余裕を持たせるために空調機台数を増加しており，イニシャルコストの増加を招いている。
【０００６】
この点に関し，特開平４−１４３５３３号公報においては，上下に対応する室外機の吹出口と吸込口とが互いに近接しないように積層することが提案されているが，かかる先行技術に使用できる室外機は，吸い込み方向，吹き出し方向とも水平に設定されている室外機に限られ，かつ送風機の配置を変化させた室外機を用意し，設置時に識別して配置する必要がある。しかも熱交換を終えて水平に吹き出した高温空気が上昇して，上層の他の室外機の吸込口から吸い込まれてしまい，その結果，放熱能力が低下し，規定の冷房能力が得られないおそれもある。
【０００７】
本発明はかかる点に鑑みてなされたものであり，基本的には室外機を多段に配置してスペースの有効活用を図るようにしているが，熱交換を終えて水平に吹き出した排気の高温空気が上昇しても，他の室外機に吸い込み側に回り込んで，吸い込まれることがない室外機の配置システムを提供して，前記問題の解決を図ることを目的としている。
【０００８】
【課題を解決するための手段】
前記目的を達成するため，本発明によれば，ケーシングの背面に吸込部を有し，当該吸込部から吸い込んだ空気を吹き出すために前記ケーシングの上面に吹出部を有する室外機を多段に複数配置する際のシステムであって，下段に配置される室外機は正面同士が対向して整列され，前記下段における室外機の上方には，上段に配置される室外機を設置するための床板が配置され，前記床板は，多数の通気孔を有するグレーチングであり、前記上段に配置される室外機の正面は通気孔から上昇する気流側に向けて配置され，前記下段における室外機の吹出部の背面側と前記グレーチングとの間には，前記下段の室外機の吹出部からの排気を，前記通気孔へと案内するガイド板が配置され、前記上段の室外機は，前記通気孔から上昇する気流を挟んで正面が対向するように配置されていることを特徴とする，室外機の配置システムが提供される。
【０００９】
かかる配置システムによれば，下段の吹出部から出た高温の空気はガイド板によってグレーチングの通気孔に案内され，該通気孔から上昇して大気に放出される。そして前記グレーチング上に設置されている室外機の正面部は前記通気孔から上昇する気流側に向けて配置されているから，吸込部を有する背面部は前記上昇気流には面していない。したがって，上段，下段の室外機とも，吹出部から吹き出された高温の空気が吸込部に回り込んで吸い込まれることはなく，放熱効率が従来よりも良好である。またその結果，上段，下段の室外機とも側面の間隔を従来よりも狭くして近接配置することが可能になり，限られたスペースを有効に使用することができる。
【００１０】
ガイド板自体の形状は任意のものが使用できるが，ガイド板の一部は下段の室外機のケーシングで兼用してもよい。またさらに前記下段の対向する室外機間には，該対向する室外機の上面縁部間に仕切板が配置されていてもよい。この仕切板によって，下段の吹出部から出た高温の空気は当該仕切板より下方の空間に流れることは規制され，その結果ガイド板によって形成されて通気孔へ案内される，いわば高温空気の排気空間の容積が減少する。それゆえより効果的に高温空気を通気孔へと導くことが可能になる。
【００１１】
前記仕切板は，強度を適宜設定することにより，各種作業用の足場や上段の室外機の保守，点検用の足場としても利用できる。上段の室鍵域の保守点検用として使用する場合には，通気部を開口とするか，開口自在な構成，例えば通気部のみ取り外し可能やヒンジ等で開口自在な構成とすればよい。さらに例えば室外機に接続される冷媒配管をこの仕切板上に配置することも可能である。前記冷媒配管を集合して収納するための冷媒配管ダクトを前記仕切板上に設置すれば，仕切板よりも高い位置に位置することになるこの冷媒配管ダクトを保守用足場として使用することもできる。
【００１２】
また室外機を対向して整列配置する場合，対向する室外機相互の間隔をある程度確保して，人員が通行できるスペースを創出すると，当該スペースをメンテナンス空間として活用できる。またガイド板自体は，各室外機自体に取り付けても良いが，隣り合っている室外機のガイド板自体相互を気密か，ほぼ気密になるように設定してもよい。かかる場合，隣り合う室外機の分と共用した，一体型のガイド板を用いてもよい。なお室外機の正面が一部開放している場合には，当該開放部分を覆うことが好ましい。
【００１４】
上段の室外機も，上段の室外機の吹出部から吹き出される空気を，床板の通気部から上昇する気流側に向けるための他のガイド板を有していてもよい。この上段の室外機に取り付けられる他のガイド板も，その一部が上段の室外機のケーシングで兼用されていてもよい。
【００１５】
上段の上方に，さらに他の室外機を設置するための他の床板を配置するようにしてもよい。この場合には，当該他の床板に通気部が設けられ，前記上段の室外機に設けられたガイド板は，前記上段の室外機の吹出部から吹き出された空気を当該他の床板の通気部に案内するように構成されていることが好ましい。
【００１６】
本発明で使用する床板は，多数の通気孔を有するグレーチングを使用しているから通気部分に相当する位置に通気孔を形成するなどの格別な加工を施す必要がない。またガイド板は，吸音材を設けるなどして吸音機能を持たせることが好ましい。これによって集合配置される室外機の騒音を低減することも可能となる。
【００１７】
【発明の実施の形態】
以下に，本発明の好ましい実施の形態を図面に基いて説明する。図１は，第１の実施の形態にかかる配置システムの側面，図２は同じく正面の縦断面，図３は同じく平面の様子を各々示している。
【００１８】
この実施の形態では，図３にも示したように，屋上ＲＦの上に，３台の室外機１を整列させて室外機列Ｍを構成し，かつ室外機列Ｍ相互を正面同士対向配置した室外機群Ｐ１〜Ｐ５と，これら室外機群Ｐ１〜Ｐ５とは間隔を空けて，同様に４台の室外機１を整列させて室外機列Ｎを構成し，かつ正面同士対向配置した室外機群Ｑ１〜Ｑ５が配置されて下段の配置がなされ，後述の上段の配置も全く同様に配置されている。
【００１９】
室外機１は，図１，図２にも示したように，直方体のケーシング２の背面に空気の吸込部３が形成され，ケーシング２の上面には，吸込部３から吸い込まれた空気と内蔵した熱交換器（図示せず）との間で熱交換された高温の空気を上方に吹き出すための吹出部４が設けられている。この室外機１は，屋上ＲＦの上に構築された基礎５の上に設置されている。なお基礎５相互間には，多数の孔を有するグレーチング６が渡されている。
【００２０】
なお室外機１には，前記した熱交換器（冷房時には凝縮器）と送風機のほか圧縮機が内蔵され，冷房時における蒸発器と送風機，膨張弁を有する室内機と冷媒配管を介して連結されている。なお室外機１を通信施設や電算センタに用いる場合には，室外機１内の熱交換器は常に凝縮器であり，室内機には蒸発器が備えられる。
【００２１】
下段に配置されている各室外機群Ｐ１〜Ｐ５，Ｑ１〜Ｑ５は室外機の台数のみが相違しているだけでその配置例は同一であるから，例えば室外機群Ｑ１，Ｑ２を例にとって説明すると，図１に示したように，室外機群Ｑ１，Ｑ２において各室外機１は，適宜の空間Ｓを空けて正面同士を対向するように配置されている。したがって，各室外機１の吸込部３は各々外側に向き，吹出部４は上を向いている。
【００２２】
下段に配置されている各室外機群Ｐ１〜Ｐ５，Ｑ１〜Ｑ５の上方には，床板を構成するグレーチング１１が配置される。このグレーチング１１は，図１に示したように，支柱１２によって支持されている。そしてグレーチング１１の上には，上段に配置される室外機１が，下段の配置，配列と同様にして室外機群ＵＰ１〜ＵＰ５，ＵＱ１〜ＵＱ５として配置，配列されている。すなわち後述の通気部１３から上昇する気流に側に正面を向けて配置，配列されている。
【００２３】
下段に配置されている各室外機群Ｐ１〜Ｐ５，Ｑ１〜Ｑ５における各室外機１には，各々ケーシング２の背面上端と，対応する上段の室外機群ＵＰ１〜ＵＰ５，ＵＱ１〜ＵＱ５における室外機の正面相互間の空間Ｓ下方のグレーチング１１下面との間には，ガイド板２１が渡されている。本実施の形態においては，例えば室外機Ｑ１についていうと，ガイド板２１は，整列された４台の室外機１の一端部の室外機１から他端部の室外機１の他端部までの全長，すなわち室外機列Ｍの全長を有する１枚のパネル材によって構成されている。そしてこのガイド板２１は，室外機１の背面側上端から所定長さの垂直部２１ａと該垂直部２１ａの上端から斜めに内側に折曲された斜面部２１ｂを有している。斜面部２１ｂの先端は，前記したように，上段の室外機群ＵＰ１〜ＵＰ５，ＵＱ１〜ＵＱ５における室外機１の正面間の空間Ｓ下方に対応するグレーチング１１の下面に接続されている。
【００２４】
ただし，斜面部２１ｂはグレーチング１１に接している必要はない。許容できる漏気量を予め計算して，室外機１の吹出部４からの暖気（暖房時は冷気）が，上段における室外機１の吸込部３への吸い込み，回り込みをしない高さ，位置までガイド板を設け，これを経て導くようにすればよい。
【００２５】
したがって，図１に示したように，例えば下段に配置されている室外機群Ｑ１についていうと，対向する室外機１の各背面側上端部から，ガイド板２１が向かい合うようにして次第に接近してグレーチング１１の下面に接するようになっている。かかる構成により，室外機群Ｑ１における対向する室外機１の上面の吹出部４から吹き出された空気は，各々ガイド板２１の斜面部２１ｂ内側に沿って流れ，グレーチング１１における正面相互間の空間Ｓの下方に相当する部分，つまり本実施の形態における通気部１３へと案内されるようになっている。
【００２６】
なお本実施の形態においては，隣接する室外機１相互間には多少の空隙ｄが創出されているが，当該空隙ｄについても前記ガイド板２１の垂下部２１ａが覆っている。したがって各室外機群Ｐ１〜Ｐ５，Ｑ１〜Ｑ５における各室外機１の背面側は完全に閉鎖されたものとなっている。
【００２７】
一方，各室外機群Ｐ１〜Ｐ５，Ｑ１〜Ｑ５の長手方向両端部の開放端は，そのまま開放した状態としてもよいが，本発明の効果をより向上させるため，適宜のパネルや樹脂製のシート等で側壁１４を形成し，室外機１の対向空間Ｓをほぼ密閉された閉鎖空間としてもよい。かかる場合，側壁１４に開閉自在な扉１５を設ければ，この扉１５を通じて人員が対向空間Ｓ，すなわちメンテナンス空間に出入りすることが自在になる。
【００２８】
上段に配置される上段の室外機群ＵＰ１〜ＵＰ５，ＵＱ１〜ＵＱ５における室外機１の背面側の上端には，他のガイド板３１が各々設けられている。このガイド板３１は，ガイド板２１と同様，垂直部３１ａと内側へと傾いだ斜面部３１ｂとを有している本実施の形態においては，上段に配置される室外機１ごとに小型のガイド板３１が取り付けられている。また上段に配置され隣り合う室外機１の側部における相互の空隙ｄには，当該空隙ｄを覆う閉鎖板３２が設置されている。これによって，上段の室外機群ＵＰ１〜ＵＰ５，ＵＱ１〜ＵＱ５における室外機１の背面部分の高さまでは，対向空間Ｓは室外機１のケーシング２と前記閉鎖板３２によって閉鎖されている。
【００２９】
そして前記ガイド板２１，３１は，内側に吸音材例えばグラスウールパネルが貼り付けられて，吸音機能を備えている。
【００３０】
第１の実施の形態にかかる配置システムは以上のような構成を有しているので，下段の室外機群Ｐ１〜Ｐ５，Ｑ１〜Ｑ５の各室外機１からの熱交換後の高温の排気は，室外機上面の吹出部４から吹き出された後，ガイド板２１の内側に沿って流れ，グレーチング１１の帯状（室外機１が整列される方向，側方に連続して延びている状態）の通気部１３へと案内され，通気部１３を通過して上昇する。一方上段の室外機群ＵＰ１〜ＵＰ５，ＵＱ１〜ＵＱ５における室外機１からの熱交換後の高温の排気は，室外機上面の吹出部４から吹き出された後，ガイド板３１の内側に沿って流れ，通気部１３を通過して上昇する気流側へと案内され，合流して上昇し，大気中に放出される。
【００３１】
一方室外機１の吸い込み空気についてみれば，既述したように室外機１の高温の排気は全てガイド板２１，３１に沿って上昇気流として大気中に放出されるから，下段の室外機群Ｐ１〜Ｐ５，Ｑ１〜Ｑ５の各室外機１の背面側に設定されている吸込部３には，かかる高温空気が回り込むおそれはない。したがって，下段の室外機群Ｐ１〜Ｐ５，Ｑ１〜Ｑ５の各室外機１，上段の室外機群ＵＰ１〜ＵＰ５，ＵＱ１〜ＵＱ５における室外機１には常に新鮮な外気が吸い込まれることになる。したがって室外機１の熱交換器での放熱能力が低下することはなく，所期の冷房能力が得られる。
【００３２】
また前記実施の形態では床板としてグレーチング１１を採用したので，通気部１３を形成するにあたり，格別通気用の孔を形成するなどの加工は必要がなく，しかも全体して重量が軽減されているので，支柱１２の負担も軽減されている。
【００３３】
さらにガイド板２１，３１に吸音機能を有するものを採用したので，ガイド板２１，３１による遮蔽と吸音機能によって，室外機１から発生する騒音の低減が図られている。
【００３４】
次に第２の実施の形態を図４〜６に基づいて説明する。この第２の実施の形態にかかる配置システムは，前出第１の実施の形態にかかる配置システムに対して，さらに図４，５に示したような微細液滴を噴霧するための噴霧装置５１を付加したものである。
【００３５】
この噴霧装置５１は，例えば一流体ノズルが用いられ，給水ポンプ５２から配管される給水配管５３を通じて噴霧用の水が各噴霧装置５１に対して給水されるようになっている。噴霧装置５１の設置場所は，室外機１の吸い込み空気が流通する空間に微細液滴を噴霧できる場所，たとえば各室外機１の吸込部３の周囲が好ましい。本実施の形態においては，図示のように，支柱１２並びにグレーチング１１の上面であって室外機側の背面側，すなわち吸込部３の近傍に取り付けられている。
【００３６】
また本実施の形態においては，室外機１の吸い込み空気の温度が所定の値を超えた場合に噴霧装置５１が作動するようになっている。そのため，室外機１の吸い込み空気が流通する空間。例えば下段の室外機群Ｐ１〜Ｐ５，Ｑ１〜Ｑ５における，例えば図４に示したような，室外機群Ｑ１と室外機群Ｑ２との間の空間で，保守員の手の届く高さに温度センサ５４が配置され，この温度センサ５４からの温度信号が所定値を越えた場合に給水ポンプ５２が作動するように制御されている。本実施の形態では，この所定値（空気温度）は，室外機１の熱交換能力が定格値以下となる値とすることが好ましく，通常３５〜４０℃程度に設定されている。
【００３７】
かかる構成を有する第２の実施の形態によれば，室外機１の吸い込み空気が所定の温度を越えたときに，噴霧装置５１から微細液滴が噴霧され，当該微細液滴は直ちに蒸発する。そして微細液滴が蒸発する際の蒸発潜熱により，流通空気の温度を低下させ，吸込部３から室外機１へと吸い込まれる空気の温度が下がり，室外機１の熱交換能力が向上する。
【００３８】
微細液滴のサイズは，比較的気流と同伴しやすい１００μｍ以下とすることが好ましい。気流と同伴することで，微細液滴をより完全に蒸発させることが可能となり，多くの蒸発潜熱を利用することができる。噴霧装置５１は，図５に示したように，室外機１の背面側に取り付けてもよい。なお前述のように，温度センサ５４の周囲空気温度が３５℃〜４０℃で噴霧するのであれば，その作動は盛夏の一時期であるが，腐食に対して万全を期すならば，ファンに耐食塗料を施すとよい。
【００３９】
次に第３の実施の形態について，図７〜９に基づいて説明する。この第３の実施の形態は，前記した第２の実施の形態にかかる配置システムにおいて，微細液滴を噴霧させる噴霧装置５１の設置場所を変更したものである。すなわち，この第３の実施の形態にかかる配置システムにおいては，下段の室外機群Ｐ１〜Ｐ５，Ｑ１〜Ｑ５における各室外機群相互間（図６，図７），上段の室外機群ＵＰ１〜ＵＰ５，ＵＱ１〜ＵＱ５における各室外機群相互間の各空間の長手方向端部（図８，図９）に集中的に噴霧装置５１を配置したものである。これらの各空間の空気は，いずれも室外機１の吸込部３が面した空間であるから，当該空間に集中的に噴霧装置５１を配置すれば，この断面を通過する空気の温度を低下させることができる。この方式の場合には，微細液滴の噴霧場所が集中しているので配管設備が簡素化できるとともに，ノズルのメンテナンスも容易となる。
【００４０】
次に第４の実施の形態について説明する。この例では，図示のように，下段に配置されているガイド板２１の他に，下段の対向する室外機１の上面縁部に仕切板としての架台６１が渡されている。そして架台６１上には，冷媒配管６２を集合して収納する冷媒配管ダクト６３が設置されている。
【００４１】
一方，上段の室外機１を支持するグレーチング６４は，これまでの実施の形態のように下段の室外機１の上方を全て覆う大きさ，形式，配置のものではなく，通気部６５に相当する部分を開口とするように大きさ，形式，配置が採用されている。したがって本実施の形態における通気部６５は全くの開口である。
【００４２】
さらに上段に設置される室外機１については，これまでの実施の形態のようなガイド板３１は取り付けず，それに代えて垂直に立てた整流板や，例えばスタック６６が取り付けられ，吹出部４からの高温空気がそのまま上方に吹き出されるようになっている。
【００４３】
このような第４の実施の形態によれば，まず架台６１によって，下段のガイド板２１，２１並びに室外機１のケーシングによって構成されたいわば高温空気のある空間が上下に仕切られ，下段の室外機１の吹出部３から出た高温の空気は架台６１より下方の空間，すなわち室外機１の対向空間Ｓ１に流れることは規制される。その結果ガイド板２１によって形成されて通気部への案内される，いわば高温空気の排気空間の容積が減少し，それゆえより効果的に高温空気を通気部６５へと導くことが可能になる。また通気部６５自体は全くの開口となっているから，前記した実施の形態と比べて圧損を受けず，より効率よく高温空気を通気部６５から上方に逃がすことができる。
【００４４】
また架台６１は各種の作業足場や保守用足場としても利用することができ，作業員がこの架台６１や，さらに高い位置にある冷媒配管ダクト６３に立てば，通気部６５を通じて上段の室外機１の保守，点検等を実施することができる。
【００４５】
前記した実施の形態においては，いずれも上下二段に室外機列，室外機群を配置したものであったが，本発明はそのような上下二段の態様に限られるものではなく，三段以上の配置にも対応可能である。かかる場合，最上段に配置される室外機のガイド板を除き，他の段に配置される室外機のガイド板は，いずれも前記した実施の形態における下段の室外機のガイド板２１のように，上方に位置するグレーチング１１の通気部となる所定の箇所の下面に接するような構成を採ることで，最下段の室外機から最上段の室外機の排気まで所定の上昇気流を形成することが可能になり，各段の室外機の吸込部に他の室外機の排気が回り込むことを防止することができる。
【００４６】
【発明の効果】
本発明によれば，空冷室外機を高密度で集合配置することが可能になり，限られた室外機設置スペースを有効に使うことができる。さらに，夏季の外気温が高くなる場合においても，室外機の吸い込み温度の上昇を抑制することで熱交換器の放熱能力を維持し，空調機のＣＯＰの低下を防止することができる。
【図面の簡単な説明】
【図１】  第１の実施の形態にかかる配置システムの側面図である。
【図２】  図１のＡ−Ａ線断面図である。
【図３】  第１の実施の形態にかかる配置システムの下段の配置の様子を示す平面図である。
【図４】  第２の実施の形態にかかる配置システムの側面図である。
【図５】  図４のＢ−Ｂ線断面図である。
【図６】  第２の実施の形態にかかる配置システムの下段の配置の様子を示す平面図である。
【図７】  第３の実施の形態にかかる配置システムの側面図である。
【図８】  図７のＣ−Ｃ線断面図である。
【図９】  第３の実施の形態にかかる配置システムの下段の配置の様子を示す平面図である。
【図１０】第４の実施の形態にかかる配置システムの側面図である。
【図１１】従来の室外機の配置の様子を示す側面図である。
【符号の説明】
１    室外機
２    ケーシング
３    吸込部
４    吹出部
１１    グレーチング
１３    通気部
１４    側壁
１５    扉
２１，３１    ガイド板
５１    噴霧装置
５４    温度センサ
Ｐ１〜Ｐ５    室外機群(下段)
Ｑ１〜Ｑ５    室外機群(下段)
ＵＰ１〜ＵＰ２  室外機群(上段)
ＵＱ１〜ＵＱ２  室外機群(上段)
【図１】
0004037147.tif 000002
【図２】
0004037147.tif 000003
【図３】
0004037147.tif 000004
【図４】
0004037147.tif 000005
【図５】
0004037147.tif 000006
【図６】
0004037147.tif 000007
【図７】
0004037147.tif 000008
【図８】
0004037147.tif 000009
【図９】
0004037147.tif 000010
【図１０】
0004037147.tif 000011
【図１１】
0004037147.tif 000012